(57)【要約】【課題】スクリュー杭の浮きや沈下を抑制することのできるスクリュー杭用浮沈防止パーツ及びスクリュー杭、並びにそれらを用いた基礎杭の施工方法を提供すること。【解決手段】構造物の基礎部分となるスクリュー杭９と一体となって用いられ、スクリュー杭９が挿入される円筒形の挿入筒１３と、挿入筒１３から延出し、スクリュー杭９を垂直に立てたときこれから水平に離れる方向へ拡がる浮沈防止板１２と、挿入筒１３に設けられ、スクリュー杭９に設けられた穴９６と連通してボルト６による締結を可能にする固定用穴１４と、を備えたスクリュー杭用浮沈防止パーツ１を用いて施工する。【選択図】図４
2017066844.tif 000002
【特許請求の範囲】
【請求項１】
構造物の基礎部分となるスクリュー杭と一体となって用いられ、前記スクリュー杭が挿入される円筒形の挿入筒と、前記挿入筒から延出し、前記スクリュー杭を垂直に立てたときこれから水平に離れる方向へ拡がる浮沈防止板と、前記挿入筒に設けられ、前記スクリュー杭に設けられた穴と連通してボルト締結を可能にする固定用穴と、を備えたスクリュー杭用浮沈防止パーツ。
【請求項２】
前記挿入筒が長さ方向に沿って二分割されるとともに、その分割面に沿った切断線により前記浮沈防止板が二分割されることで二つのパーツに分割され、前記スクリュー杭を二分割された前記挿入筒で挟んで組み合わせることにより再び一体化されることを特徴とした請求項１記載のスクリュー杭用浮沈防止パーツ。
【請求項３】
互いに離間して設けられた二以上のスクリュー杭をそれぞれ挿入可能な複数の挿入筒を備え、互いに隣り合った挿入筒から延出する浮沈防止板同士が結合されることにより、互いに隣り合った挿入筒同士が前記浮沈防止板を介して連結されることを特徴とする請求項１又は２記載のスクリュー杭用浮沈防止パーツ。
【請求項４】
地面に貫入される先端部と前記先端部の反対側である末端部とを備え、前記先端部から前記末端部へ向けて、螺旋状の羽根を備えたスパイラル部と、前記羽根を持たない直胴部とを備えたスクリュー杭であって、
前記直胴部から延出し、前記スクリュー杭を垂直に立てたときこれから水平に離れる方向へ拡がる浮沈防止板を備えたことを特徴とするスクリュー杭。
【請求項５】
スクリュー杭を用いた基礎杭の施工方法であって、
平らな底面を備えた溝を形成させるように地面を掘る溝形成工程と、
請求項１〜３のいずれか１項記載のスクリュー杭用浮沈防止パーツが装着されたスクリュー杭を、前記スクリュー杭用浮沈防止パーツに設けられた浮沈防止板が前記底面に接する深さに達するまで前記溝の底面に貫入させるスクリュー杭建込工程と、
前記浮沈防止板を埋設する埋設工程と、を備えたことを特徴とする、スクリュー杭を用いた基礎杭の施工方法。
【請求項６】
請求項４記載のスクリュー杭を用いた基礎杭の施工方法であって、
平らな底面を備えた溝を形成させるように地面を掘る溝形成工程と、
前記スクリュー杭に設けられた浮沈防止板が前記底面に接する深さに達するまで前記スクリュー杭を前記溝の底面に貫入させるスクリュー杭貫入工程と、
前記浮沈防止板を埋設する埋設工程と、を備えたことを特徴とする、スクリュー杭を用いた基礎杭の施工方法。
【発明の詳細な説明】
【技術分野】
【０００１】
本発明は、スクリュー杭用浮沈防止パーツ及びそれをスクリュー杭に適用した基礎杭の施工方法、並びにスクリュー杭及びそれを用いた基礎杭の施工方法に関する。
【背景技術】
【０００２】
近年、いわゆるメガソーラー事業者等を中心に、遊休地等にて複数の太陽電池パネルを設置して発電を行う事業が盛んに行われている。このような形態での太陽電池パネルの設置では、地面に基礎を設けてその上方に太陽電池パネルを設置することになる。この場合、工期の短縮や設置コストの削減を図るべく、コンクリート製の基礎ではなくスクリュー杭を基礎として用いる工法が盛んに行われている（このような一例として特許文献１を参照）。
【０００３】
スクリュー杭は、将来地上への露出部となる杭の上方部分から、地面に打ち込まれる（すなわち貫入される）先端部分に向けて螺旋状の羽根が設けられた杭であり、尖った先端部を地面に刺してネジのように回転圧入させながら地面へと打ち込まれる。この羽根の存在が杭の引き抜きや沈下への抵抗力となるので、地面に打ち込まれたスクリュー杭は通常の杭に比べて引き抜きや沈下に強く、これを基礎として太陽電池パネルのような重量物を設置することが可能である。
【０００４】
また、太陽電池パネルの設置の場合のみならず、例えば、コンクリート基礎のような構造物の設置が制限される農業用地にビニールハウスを設置する場合でもスクリュー杭は有用である。他にも、設置スペースが少なくて済むということや、工期を短縮したりコストを低く抑えたりするといったメリットを得られることから、スクリュー杭を基礎として活用する場面は少なくない。
【先行技術文献】
【特許文献】
【０００５】
【特許文献１】特開２０１５−１２７５０１号公報
【発明の概要】
【発明が解決しようとする課題】
【０００６】
しかしながら、いわゆるメガソーラーの設置が盛んになってから数年が経過した現在では、経年による太陽電池パネルの沈下が問題になる例も散見されるようになった。これは、太陽電池パネルという重量物を支えるスクリュー杭が、時間の経過とともに地面の中へと沈下していくことによるものである。また、太陽電池パネルのような板状の構造物は強風に煽られて浮力を生じがちであるが、そのような浮力によってスクリュー杭が当初の位置よりも上方へ移動してしまう現象、すなわち浮きを生じる場合もある。これらの場合、それを元の位置まで修復するには当初の設置のときよりも多くの手間とコストを必要とするものであり、問題となっている。
【０００７】
本発明は、以上の状況に鑑みてなされたものであり、スクリュー杭の浮きや沈下を抑制することのできるスクリュー杭用浮沈防止パーツ及びスクリュー杭、並びにそれらを用いた基礎杭の施工方法を提供することを目的とする。
【課題を解決するための手段】
【０００８】
本発明者は、以上の課題を解決するために鋭意検討を重ねた結果、スクリュー杭が挿入される円筒形の挿入筒と、この挿入筒から延出しスクリュー杭から直交して離れる方向へ拡がる浮沈防止板と、上記挿入筒に設けられ、スクリュー杭に設けられた穴と連通してボルト締結を可能にする固定用穴と、を備えたスクリュー杭用浮沈防止パーツを用いて、スクリュー杭を立てたときにその直胴部から水平に延出する板を設け、さらに施工時にその板を地中へ水平に埋設することにより、スクリュー杭の沈下や浮きを抑制できることを見出した。本発明は、以上のような知見に基づいて完成されたものであり、以下のようなものを提供する。
【０００９】
（１）本発明は、構造物の基礎部分となるスクリュー杭と一体となって用いられ、上記スクリュー杭が挿入される円筒形の挿入筒と、上記挿入筒から延出し、上記スクリュー杭を垂直に立てたときこれから水平に離れる方向へ拡がる浮沈防止板と、上記挿入筒に設けられ、上記スクリュー杭に設けられた穴と連通してボルト締結を可能にする固定用穴と、を備えたスクリュー杭用浮沈防止パーツである。
【００１０】
（２）また本発明は、上記挿入筒が長さ方向に沿って二分割されるとともに、その分割面に沿った切断線により上記浮沈防止板が二分割されることで二つのパーツに分割され、上記スクリュー杭を二分割された上記挿入筒で挟んで組み合わせることにより再び一体化されることを特徴とした（１）項記載のスクリュー杭用浮沈防止パーツである。
【００１１】
（３）また本発明は、互いに離間して設けられた二以上のスクリュー杭をそれぞれ挿入可能な複数の挿入筒を備え、互いに隣り合った挿入筒から延出する浮沈防止板同士が結合されることにより、互いに隣り合った挿入筒同士が上記浮沈防止板を介して連結されることを特徴とする（１）項又は（２）項記載のスクリュー杭用浮沈防止パーツである。
【００１２】
（４）また本発明は、地面に貫入される先端部とこの先端部の反対側である末端部とを備え、上記先端部から上記末端部へ向けて、螺旋状の羽根を備えたスパイラル部と、上記羽根を持たない直胴部とを備えたスクリュー杭であって、上記直胴部から延出し、上記スクリュー杭を垂直に立てたときこれから水平に離れる方向へ拡がる浮沈防止板を備えたことを特徴とするスクリュー杭でもある。
【００１３】
（５）また本発明は、スクリュー杭を用いた基礎杭の施工方法であって、平らな底面を備えた溝を形成させるように地面を掘る溝形成工程と、上記（１）項〜（３）項のいずれか１項記載のスクリュー杭用浮沈防止パーツが装着されたスクリュー杭を、上記スクリュー杭用浮沈防止パーツに設けられた浮沈防止板が上記底面に接する深さに達するまで上記溝の底面に貫入させるスクリュー杭貫入工程と、上記浮沈防止板を埋設する埋設工程と、を備えたことを特徴とする、スクリュー杭を用いた基礎杭の施工方法でもある。
【００１４】
（６）また本発明は、上記（４）項記載のスクリュー杭を用いた基礎杭の施工方法であって、平らな底面を備えた溝を形成させるように地面を掘る溝形成工程と、上記スクリュー杭に設けられた浮沈防止板が上記底面に接する深さに達するまで上記スクリュー杭を上記溝の底面に貫入させるスクリュー杭貫入工程と、上記浮沈防止板を埋設する埋設工程と、を備えたことを特徴とする、スクリュー杭を用いた基礎杭の施工方法でもある。
【発明の効果】
【００１５】
本発明によれば、スクリュー杭の浮きや沈下を抑制することのできるスクリュー杭用浮沈防止パーツ及びスクリュー杭、並びにそれらを用いた基礎杭の施工方法が提供される。
【図面の簡単な説明】
【００１６】
【図１】図１は、本発明のスクリュー杭用浮沈防止パーツの適用されるスクリュー杭の一例を示す側面図である。
【図２】図２は、本発明のスクリュー杭用浮沈防止パーツの第一実施形態を示す図であり、（ａ）はその斜視図であり、（ｂ）はその平面図である。
【図３】図３は、本発明のスクリュー杭用浮沈防止パーツの第一実施形態の使用状況を示すための斜視図である。
【図４】図４（ａ）及び（ｂ）は、本発明のスクリュー杭用浮沈防止パーツをスクリュー杭に適用した状態を示す斜視図である。
【図５】図５は、本実施形態のスクリュー杭用浮沈防止パーツの適用されたスクリュー杭が、地面に貫入された状態を示す図である。
【図６】図６は、本実施形態のスクリュー杭用浮沈防止パーツの適用されたスクリュー杭を基礎として、太陽電池パネルを設置した様子を示す模式図である。
【図７】図７は、本発明の第二実施形態のスクリュー杭用浮沈防止パーツ１Ａをスクリュー杭９に適用した様子を示す図である。
【図８】図８（ａ）〜（ｃ）は、本発明のスクリュー杭用浮沈防止パーツ１の適用されたスクリュー杭９による基礎杭の施工方法について順を追って説明した模式図である。
【図９】図９は、本発明のスクリュー杭を示す側面図である。
【発明を実施するための形態】
【００１７】
以下、本発明のスクリュー杭用浮沈防止パーツ及びスクリュー杭の実施形態、並びに本発明のスクリュー杭を用いた基礎杭の施工方法の実施態様について図面を参照しながら説明する。なお、本発明は以下の各実施形態及び実施態様に何ら限定されるものでなく、本発明の範囲内において適宜変更を加えて実施することができる。
【００１８】
まず、本発明のスクリュー杭用浮沈防止パーツの実施形態を説明するのに先立ち、本発明のスクリュー杭用浮沈防止用パーツの適用されるスクリュー杭について図面を参照しながら説明する。図１は、本発明のスクリュー杭用浮沈防止パーツの適用されるスクリュー杭の一例を示す側面図である。
【００１９】
スクリュー杭９は、構造物の基礎として用いられるものであり、地面に貫入される先端部９３を備え、この先端部９３の反対側となる末端部にフランジ９４を備える。スクリュー杭９を基礎として構造物を建造する場合、このフランジ９４に構造物を結合させてその足掛かりとする。
【００２０】
スクリュー杭９には、先端部９３から末端となるフランジ９４へ向けて、螺旋状の羽根９５を備えたスパイラル部９２と、羽根９５を持たない直胴部９１とが形成されている。スクリュー杭９を地面へ貫入させて基礎を形成させるに際しては、先端部９３を地面に刺し、ネジのようにスクリュー杭９を回転圧入させる。通常、スクリュー部９２が地中に没した段階で貫入完了となり、直胴部９１が地上に露出して基礎となる。地中に貫入したスクリュー杭９は、螺旋状の羽根９５の存在により地中での上下への移動が規制されており、荷重による沈下や、スクリュー杭９を地面から抜き去る力が加わった際の抜けが抑制される。
【００２１】
しかしながら、スクリュー杭９の適用される地盤の状態によっては、時間の経過とともに構造物の荷重により沈下を生じたり、風などによる構造物への浮力により浮きを生じたりすることもあり得る。本発明のスクリュー杭用浮沈防止パーツは、そうした沈下や浮きを抑制するためにスクリュー杭９に適用される。
【００２２】
＜スクリュー杭用浮沈防止パーツ＞
次に、本発明のスクリュー杭用浮沈防止パーツの第一実施形態について、図面を参照しながら説明する。図２は、本発明のスクリュー杭用浮沈防止パーツの第一実施形態を示す図であり、（ａ）はその斜視図であり、（ｂ）はその平面図である。図３は、本発明のスクリュー杭用浮沈防止パーツの第一実施形態の使用状況を示すための斜視図である。図４（ａ）及び（ｂ）は、本発明のスクリュー杭用浮沈防止パーツをスクリュー杭に適用した状態を示す斜視図である。
【００２３】
本実施形態のスクリュー杭用浮沈防止パーツ１は、二個を一組として用いられ、半浮沈防止板１２１と、半浮沈防止板１２１の一辺に設けられスクリュー杭９の直胴部９１の外周に沿った形状の半円筒面を備えた半挿入筒１３１とを備える。また、スクリュー杭用浮沈防止パーツ１は、スクリュー杭９に設けられた穴９６と連通してボルト締結を可能にする固定用穴１４を半挿入筒１３１に備える。
【００２４】
図３に示すように、二個を一組としたスクリュー杭用浮沈防止パーツ１は、半挿入筒１３１の設けられた半浮沈防止板１２１の辺を対向させて組み合わされ、スクリュー杭９が挿入される挿入筒１３と、挿入筒１３から延出し、挿入筒１３の長さ方向を垂直に立てたときこれから水平に離れる方向へ拡がる浮沈防止板１２が形成される。つまり、二つ一組となった半挿入筒１３１が挿入筒１３を形成し、二つ一組となった半浮沈防止板１２１が浮沈防止板１２を形成する。
【００２５】
図４（ａ）及び（ｂ）に示すように、本実施形態のスクリュー杭用浮沈防止パーツ１の二つ一組をスクリュー杭９に適用した状態において、二つ一組のスクリュー杭用浮沈防止パーツ１，１は、スクリュー杭９と一体となって用いられ、円筒形の挿入筒１２にスクリュー杭９が挿入された状態となる。そして、挿入筒１３から延出し、スクリュー杭９を垂直に立てたときこれから水平に離れる方向へ拡がる浮沈防止板１２が存在する。各スクリュー杭用浮沈防止パーツ１は、スクリュー杭９の直胴部９１に設けられた穴９６と連通してボルト６による締結を可能にする固定用穴１４により、スクリュー杭９に固定される。なお、二つ一組のスクリュー杭用浮沈防止パーツ１，１は、一つをスクリュー杭９へ取り付けられてからもう一つをスクリュー杭９に取り付けられ、二つ一組のスクリュー杭用浮沈防止パーツ１，１及びスクリュー杭９の三者が一体となる。
【００２６】
逆に言えば、二個を一組で用いられる本実施形態のスクリュー杭用浮沈防止パーツ１は、挿入筒１３が長さ方向に沿って二分割されて半挿入筒１３１とされるとともに、その分割面に沿った切断線により浮沈防止板１２が二分割されて二つの浮沈防止板１２１に分割されてなるものである。そして、上記のように二分割されてなる一組の半挿入筒１３１，１３１でスクリュー杭９を挟んで組み合わせることにより、二つ一組のスクリュー杭用浮沈防止パーツ１，１が再び一体化されるということもできる。
【００２７】
次に、このように一体化された二つ一組のスクリュー杭用浮沈防止パーツ１，１及びスクリュー杭９について図５を参照しながら説明する。図５は、本実施形態のスクリュー杭用浮沈防止パーツ１の適用されたスクリュー杭９が、地面に貫入された状態を示す図である。上記のような一体化がなされることにより、スクリュー杭９は、浮沈防止板１２を備えることになる。図５に示すように、このスクリュー杭９は、浮沈防止板１２が水平になるように埋設された状態で地中に貫入されることにより、螺旋状の羽根９５による沈下や浮きの抑制作用のみならず、浮沈防止板１２による沈下や浮きの抑制作用が加わることになり、より一層、荷重による沈下や浮力による抜けを抑制することができるようになる。このような効果を十分に得るために、浮沈防止板１２の面積は、螺旋状の羽根９５よりも十分に大きいものとされる。
【００２８】
このようにして構造物のための基礎とされたスクリュー杭９は、図６に示すように、フランジ９４を介して太陽電池パネル設置のための架台７が結合され、太陽電池パネル８が設置される。図６は、本実施形態のスクリュー杭用浮沈防止パーツの適用されたスクリュー杭９を基礎として、太陽電池パネル８を設置した様子を示す模式図である。なお、本実施形態のスクリュー杭用浮沈度防止パーツ１を備えたスクリュー杭９による基礎は、太陽電池パネル設置のためのみならず、構造物一般に適用可能なものである。図示しないが、このような構造物として農業用ハウス等も好ましく例示することができる。本実施形態のスクリュー杭用浮沈度防止パーツ１を備えたスクリュー杭９を農業用ハウスの基礎として用いれば、農地において禁じられているコンクリート製の基礎を設ける必要がなくなり、農地を他の用途に転用すること無く丈夫な農業用ハウスを設置することができるようになる。
【００２９】
本実施形態のスクリュー杭用浮沈防止パーツ１は、構造物の基礎部分となるスクリュー杭９と一体となって用いられ、スクリュー杭用浮沈防止パーツ１が二つ一組となった状態で、スクリュー杭９が挿入される円筒形の挿入筒１３と、挿入筒１３から延出し、スクリュー杭９を垂直に立てたときこれから水平に離れる方向へ拡がる浮沈防止板１２と、挿入筒１３に設けられ、スクリュー杭９に設けられた穴９６と連通してボルト６による締結を可能にする固定用穴１４と、を備えることを特徴とする。これにより、本実施形態のスクリュー杭用浮沈防止パーツ１の適用されたスクリュー杭９では、沈下や浮きの抑制作用のある浮沈防止板１２が導入され、この浮沈防止板１２が水平になるように埋設された状態でスクリュー杭９が地中に貫入されることにより、荷重による沈降や浮力による抜けが抑制される。
【００３０】
また、本実施形態のスクリュー杭用浮沈防止パーツ１では、図３に示すように、挿入筒１３が長さ方向に沿って二分割されるとともに、その分割面に沿った切断線により浮沈防止板１２が二分割されることで二つのパーツに分割され、二分割された挿入筒１３１でスクリュー杭９を挟んで組み合わせることにより再び一体化されることを特徴とする。これにより、スクリュー杭９へのスクリュー杭用浮沈防止パーツ１の取り付けが容易になり、作業効率を向上できる。
【００３１】
次に、本発明のスクリュー杭用浮沈防止パーツの第二実施形態について図面を参照しながら説明する。図７は、本発明の第二実施形態のスクリュー杭用浮沈防止パーツ１Ａをスクリュー杭９に適用した様子を示す図である。なお、第二実施形態の説明では上記第一実施形態と重複する部分について同じ符号を付し、それについての説明を省略する。
【００３２】
本実施形態のスクリュー杭用浮沈防止パーツ１Ａは、第一実施形態と同様にスクリュー杭９を挿入するための挿入筒１３と浮沈防止板１２を備えるが、複数の浮沈防止板１２同士が結合板３により結合されている点で第一実施形態と異なるものである。すなわち、互いに隣り合った浮沈防止板１２同士が、結合板３を介して一体となっている。浮沈防止板１２と結合板３とはボルト４により締結される。
【００３３】
したがって、本実施形態のスクリュー杭用浮沈防止パーツ１Ａでは、互いに離間して設けられた二以上のスクリュー杭９をそれぞれ挿入可能な複数の挿入筒１３を備え、互いに隣り合った挿入筒１３から延出する浮沈防止板１２同士が結合されることにより、互いに隣り合った挿入筒１３同士が浮沈防止板１２を介して連結されることを特徴とする。その結果、浮沈防止板１２に加えて、結合板３も地中に水平に埋設されることになり、より一層、荷重による沈降や浮力による抜けが抑制されることになる。
【００３４】
以上、本発明のスクリュー杭用浮沈防止パーツの実施形態を説明したが、本発明のスクリュー杭用浮沈防止パーツは以上の実施形態に限定されるものではない。
【００３５】
例えば、上記第一実施形態では二つのスクリュー杭用浮沈防止パーツ１，１を一組として用いて浮沈防止板１２及び挿入筒１３を形成させていたが、これら二つのスクリュー杭用浮沈防止パーツ１，１を初めから一体のものとして形成しておいてもよい。
【００３６】
また、上記第二実施形態では結合板３を介して複数の浮沈防止板１２を結合させていたが、結合板と浮沈防止板とを初めから一体である浮沈防止板として構成し、これに複数の挿入筒１３を設けて用いてもよい。
【００３７】
＜スクリュー杭を用いた基礎杭の施工方法＞
次に、本発明のスクリュー杭用浮沈防止パーツ１の適用されたスクリュー杭９による基礎杭の施工方法の一実施態様について図面を参照しながら説明する。図８（ａ）〜（ｃ）は、本発明のスクリュー杭用浮沈防止パーツ１の適用されたスクリュー杭９による基礎杭の施工方法について順を追って説明した模式図である。なお、以下の説明では上記第一実施形態のスクリュー杭用浮沈防止パーツ１を用いているが、本発明のスクリュー杭用浮沈防止パーツであれば上記第一実施形態のものに限らず実施することが可能である。
【００３８】
本実施態様のスクリュー杭を用いた基礎杭の施工方法では、平らな底面７１を備えた溝７を形成させるように地面を掘る溝形成工程と、スクリュー杭用浮沈防止パーツ１が装着されたスクリュー杭９を、スクリュー杭用浮沈防止パーツ１に設けられた浮沈防止板１２が底面７１に接する深さに達するまで溝７の底面７１に貫入させるスクリュー杭建込工程と、浮沈防止板１２を埋設する埋設工程と、を備える。以下、各工程について説明する。
【００３９】
［溝形成工程］
溝形成工程では、図８（ａ）に示すように、基礎杭を施工する箇所に平らな底面７１を備えた溝７を形成させるように地面を掘る。この底面７１は水平となるように形成される。基礎杭は、これから構築される構造物に沿って列をなすように複数設ける必要があるが、本工程で形成させる溝７は、基礎杭を設ける列に沿って形成される。図８（ａ）〜（ｃ）では、溝の長さ方向に沿った断面でこの溝を表している。なお、基礎杭を一つだけ設ける場合には、穴を設けることになるが、本発明ではこのような穴も「溝」として扱うものとする。
【００４０】
溝７の深さは、スクリュー杭９に設けられた浮沈防止板１２とフランジ９４との間の間隔よりも浅いものとされる。本工程で溝７が形成された後に、次工程であるスクリュー杭建込工程を行う。
【００４１】
［スクリュー杭建込工程］
スクリュー杭建込工程では、図８（ｂ）に示すように、スクリュー杭用浮沈防止パーツ１が装着されたスクリュー杭９を、浮沈防止板１２が底面７１に接する深さに達するまで溝７の底面７１に貫入させる。
【００４２】
スクリュー杭９を底面７１に貫入させる方法は、公知であるのでここでは詳しく説明しないが、基礎杭を設置すべき箇所の底面７１にスクリュー杭９を刺し、その後、スクリュー杭９を回転圧入すればよい。そして、スクリュー杭９に設けられた浮沈防止板１２が底面７１に接するまで上記の回転圧入を継続させればよい。浮沈防止板１２が底面７１に接した時点で本工程は終了となり、次工程である埋設工程を行う。
【００４３】
［埋設工程］
埋設工程では、図８（ｃ）に示すように、底面７１に接している浮沈防止板１２を埋設する。これにより浮沈防止板１２の埋設に用いた土の重みでスクリュー杭９の浮きが抑制されるとともに、底面７１から浮沈防止板１２への抗力でスクリュー杭９の沈下も抑制される。
【００４４】
本実施態様のスクリュー杭を用いた基礎杭の施工方法によれば、荷重による沈降や浮力による抜けの抑制された、スクリュー杭による基礎を形成させることができる。
【００４５】
＜スクリュー杭＞
次に、本発明のスクリュー杭の一実施形態について図面を参照しながら説明する。図９は、本発明のスクリュー杭を示す側面図である。なお、本発明のスクリュー杭の説明ではこれまでの説明と重複する部分について同じ符号を付し、それについての説明を省略する。
【００４６】
本実施形態のスクリュー杭９Ａは、地面に貫入される先端部９３と、先端部９３の反対側である末端部にフランジ９４とを備え、先端部９３からフランジ９４へ向けて、螺旋状の羽根９５を備えたスパイラル部９２と、羽根９５を持たない直胴部９１とを備え、直胴部９１から延出し、スクリュー杭９Ａを垂直に立てたときこれから水平に離れる方向へ拡がる浮沈防止板９７を備えたことを特徴とする。
【００４７】
すなわち、本実施形態のスクリュー杭９Ａでは、スクリュー杭用浮沈防止パーツ１により形成される浮沈防止板１２に相当する浮沈防止板９７を直胴部９１に備えたものである。このスクリュー杭９Ａでは、初めから浮沈防止板９７を備えるので、既に説明したスクリュー杭用浮沈防止パーツ１を用いなくともそれを用いたのと同じ効果を得ることができる。
【００４８】
なお、本実施形態のスクリュー杭９Ａを用いることによって得られる作用及び効果は、既に説明したスクリュー杭用浮沈防止パーツ１におけるものと同じであるので、ここでの説明を省略する。
【００４９】
＜スクリュー杭を用いた基礎杭の施工方法２＞
上記スクリュー杭９Ａを用いた基礎杭の施工方法も本発明の一つである。これについては、上記スクリュー杭を用いた基礎杭の施工方法１において用いた、スクリュー杭用浮沈防止パーツ１を備えたスクリュー杭９に代えてスクリュー杭９Ａを用いた点、及びスクリュー杭用浮沈防止パーツ１により形成された浮沈防止板１２に代えて初めからスクリュー杭９Ａに形成された浮沈防止板９７を用いる点のみが異なり、手順自体は上記スクリュー杭を用いた基礎杭の施工方法１と同じであるのでここでの説明を省略する。
【符号の説明】
【００５０】
１、１Ａ  スクリュー杭用浮沈防止パーツ
１２      浮沈防止板
１３      挿入筒
１４      固定用穴
７        溝
７１      底面
９，９Ａ  スクリュー杭
９１      直胴部
９２      スパイラル部
９３      先端部
９４      フランジ（末端部）
９５      羽根
９７      浮沈防止板
【図１】
2017066844.tif 000003
【図２】
2017066844.tif 000004
【図３】
2017066844.tif 000005
【図４】
2017066844.tif 000006
【図５】
2017066844.tif 000007
【図６】
2017066844.tif 000008
【図７】
2017066844.tif 000009
【図８】
2017066844.tif 000010
【図９】
2017066844.tif 000011
【手続補正書】
【提出日】平成28年10月19日(2016.10.19)
【手続補正１】
【補正対象書類名】特許請求の範囲
【補正対象項目名】全文
【補正方法】変更
【補正の内容】
【特許請求の範囲】
【請求項１】
構造物の基礎部分となるスクリュー杭と一体となって用いられ、前記スクリュー杭が挿入される円筒形の挿入筒と、前記挿入筒から延出し、前記スクリュー杭を垂直に立てたときこれから水平に離れる方向へ拡がる浮沈防止板と、前記挿入筒に設けられ、前記スクリュー杭に設けられた穴と連通してボルト締結を可能にする固定用穴と、を備え、互いに離間して設けられた二以上のスクリュー杭をそれぞれ挿入可能な複数の挿入筒を備え、互いに隣り合った挿入筒から延出する浮沈防止板同士が結合されることにより、互いに隣り合った挿入筒同士が前記浮沈防止板を介して連結されることを特徴とするスクリュー杭用浮沈防止パーツ。
【請求項２】
前記挿入筒が長さ方向に沿って二分割されるとともに、その分割面に沿った切断線により前記浮沈防止板が二分割されることで二つのパーツに分割され、前記スクリュー杭を二分割された前記挿入筒で挟んで組み合わせることにより再び一体化されることを特徴とした請求項１記載のスクリュー杭用浮沈防止パーツ。
【請求項３】
地面に貫入される先端部と前記先端部の反対側である末端部とを備え、前記先端部から前記末端部へ向けて、螺旋状の羽根を備えたスパイラル部と、前記羽根を持たない直胴部とを備えたスクリュー杭であって、
前記直胴部から延出し、前記スクリュー杭を垂直に立てたときこれから水平に離れる方向へ拡がる浮沈防止板を備えたことを特徴とするスクリュー杭。
【請求項４】
スクリュー杭を用いた基礎杭の施工方法であって、
平らな底面を備えた溝を形成させるように地面を掘る溝形成工程と、
下記（Ａ）項〜（Ｃ）項のいずれか１項記載のスクリュー杭用浮沈防止パーツが装着されたスクリュー杭を、前記スクリュー杭用浮沈防止パーツに設けられた浮沈防止板が前記底面に接する深さに達するまで前記溝の底面に貫入させるスクリュー杭建込工程と、
前記浮沈防止板を埋設する埋設工程と、を備えたことを特徴とする、スクリュー杭を用いた基礎杭の施工方法。
（Ａ）構造物の基礎部分となるスクリュー杭と一体となって用いられ、前記スクリュー杭が挿入される円筒形の挿入筒と、前記挿入筒から延出し、前記スクリュー杭を垂直に立てたときこれから水平に離れる方向へ拡がる浮沈防止板と、前記挿入筒に設けられ、前記スクリュー杭に設けられた穴と連通してボルト締結を可能にする固定用穴と、を備えたスクリュー杭用浮沈防止パーツ。
（Ｂ）前記挿入筒が長さ方向に沿って二分割されるとともに、その分割面に沿った切断線により前記浮沈防止板が二分割されることで二つのパーツに分割され、前記スクリュー杭を二分割された前記挿入筒で挟んで組み合わせることにより再び一体化されることを特徴とした上記（Ａ）項記載のスクリュー杭用浮沈防止パーツ。
（Ｃ）互いに離間して設けられた二以上のスクリュー杭をそれぞれ挿入可能な複数の挿入筒を備え、互いに隣り合った挿入筒から延出する浮沈防止板同士が結合されることにより、互いに隣り合った挿入筒同士が前記浮沈防止板を介して連結されることを特徴とする上記（Ａ）項又は（Ｂ）項記載のスクリュー杭用浮沈防止パーツ。
【請求項５】
請求項３記載のスクリュー杭を用いた基礎杭の施工方法であって、
平らな底面を備えた溝を形成させるように地面を掘る溝形成工程と、
前記スクリュー杭に設けられた浮沈防止板が前記底面に接する深さに達するまで前記スクリュー杭を前記溝の底面に貫入させるスクリュー杭貫入工程と、
前記浮沈防止板を埋設する埋設工程と、を備えたことを特徴とする、スクリュー杭を用いた基礎杭の施工方法。
【手続補正２】
【補正対象書類名】明細書
【補正対象項目名】０００９
【補正方法】変更
【補正の内容】
【０００９】
（１）本発明は、構造物の基礎部分となるスクリュー杭と一体となって用いられ、上記スクリュー杭が挿入される円筒形の挿入筒と、上記挿入筒から延出し、上記スクリュー杭を垂直に立てたときこれから水平に離れる方向へ拡がる浮沈防止板と、上記挿入筒に設けられ、上記スクリュー杭に設けられた穴と連通してボルト締結を可能にする固定用穴と、を備え、互いに離間して設けられた二以上のスクリュー杭をそれぞれ挿入可能な複数の挿入筒を備え、互いに隣り合った挿入筒から延出する浮沈防止板同士が結合されることにより、互いに隣り合った挿入筒同士が上記浮沈防止板を介して連結されることを特徴とするスクリュー杭用浮沈防止パーツである。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
（３）また本発明は、地面に貫入される先端部とこの先端部の反対側である末端部とを備え、上記先端部から上記末端部へ向けて、螺旋状の羽根を備えたスパイラル部と、上記羽根を持たない直胴部とを備えたスクリュー杭であって、上記直胴部から延出し、上記スクリュー杭を垂直に立てたときこれから水平に離れる方向へ拡がる浮沈防止板を備えたことを特徴とするスクリュー杭でもある。
【手続補正５】
【補正対象書類名】明細書
【補正対象項目名】００１３
【補正方法】変更
【補正の内容】
【００１３】
（４）また本発明は、スクリュー杭を用いた基礎杭の施工方法であって、平らな底面を備えた溝を形成させるように地面を掘る溝形成工程と、下記（Ａ）項〜（Ｃ）項のいずれか１項記載のスクリュー杭用浮沈防止パーツが装着されたスクリュー杭を、上記スクリュー杭用浮沈防止パーツに設けられた浮沈防止板が上記底面に接する深さに達するまで上記溝の底面に貫入させるスクリュー杭貫入工程と、上記浮沈防止板を埋設する埋設工程と、を備えたことを特徴とする、スクリュー杭を用いた基礎杭の施工方法でもある。
（Ａ）構造物の基礎部分となるスクリュー杭と一体となって用いられ、前記スクリュー杭が挿入される円筒形の挿入筒と、前記挿入筒から延出し、前記スクリュー杭を垂直に立てたときこれから水平に離れる方向へ拡がる浮沈防止板と、前記挿入筒に設けられ、前記スクリュー杭に設けられた穴と連通してボルト締結を可能にする固定用穴と、を備えたスクリュー杭用浮沈防止パーツ。
（Ｂ）前記挿入筒が長さ方向に沿って二分割されるとともに、その分割面に沿った切断線により前記浮沈防止板が二分割されることで二つのパーツに分割され、前記スクリュー杭を二分割された前記挿入筒で挟んで組み合わせることにより再び一体化されることを特徴とした上記（Ａ）項記載のスクリュー杭用浮沈防止パーツ。
（Ｃ）互いに離間して設けられた二以上のスクリュー杭をそれぞれ挿入可能な複数の挿入筒を備え、互いに隣り合った挿入筒から延出する浮沈防止板同士が結合されることにより、互いに隣り合った挿入筒同士が前記浮沈防止板を介して連結されることを特徴とする上記（Ａ）項又は（Ｂ）項記載のスクリュー杭用浮沈防止パーツ。
【手続補正６】
【補正対象書類名】明細書
【補正対象項目名】００１４
【補正方法】変更
【補正の内容】
【００１４】
（５）また本発明は、上記（３）項記載のスクリュー杭を用いた基礎杭の施工方法であって、平らな底面を備えた溝を形成させるように地面を掘る溝形成工程と、上記スクリュー杭に設けられた浮沈防止板が上記底面に接する深さに達するまで上記スクリュー杭を上記溝の底面に貫入させるスクリュー杭貫入工程と、上記浮沈防止板を埋設する埋設工程と、を備えたことを特徴とする、スクリュー杭を用いた基礎杭の施工方法でもある。